【事件の表示】
　特許第３３９７３０１号「内視鏡システム」の請求項１、２に係る特許に対する特許異議の申立てについて、次のとおり決定する。
【結　論】
　訂正を認める。
　特許第３３９７３０１号の請求項１ないし２に係る特許を維持する。
【理　由】
１．手続の経緯
　本件特許第３３９７３０１号発明は、平成１１年５月２１日に特許出願され、平成１５年２月１４日にその特許の設定登録がなされ、その後、ペンタックス株式会社より特許異議の申立がなされ、取消理由通知がなされ、その指定期間内である平成１６年４月１５日に訂正請求がなされたものである。
　
２．訂正の適否についての判断
２．１　訂正の内容
　特許権者は訂正請求書に添付した訂正明細書のとおりに訂正することを求めており、その具体的訂正内容は別紙のとおりである。
　
２．２　訂正の目的の適否、新規事項の有無、及び特許請求の範囲の拡張・変更の存否
ア．訂正事項ａについて、
　訂正事項ａは、請求項１に記載中の「内視鏡及び１つ以上の外部接続機器が接続されるシステム制御手段を有する内視鏡システムにおいて、」の記載を「内視鏡及び内視鏡画像、内視鏡関連情報を記録するファイル装置を含む１つ以上の外部接続機器が接続されるシステム制御手段を有する内視鏡システムにおいて、」に、「前記システム制御手段に対して内視鏡関連情報の入力を行うと共に、」の記載を「前記システム制御手段又は前記外部接続機器の１つである内視鏡画像、内視鏡関連情報を記録するファイル装置に対して内視鏡関連情報の入力を行うと共に、」に、「前記１つ以上の外部接続機器に接続されて、」の記載を「前記外部接続機器の１つである内視鏡画像、内視鏡関連情報を記録するファイル装置に接続されて、」に、「及び１つ以上の外部接続機器の中のいずれかに」の記載を「又は前記内視鏡画像、内視鏡関連情報を記録するファイル装置のいずれかに」に、「及び前記１つ以上の外部接続機器の中のいずれかを」の記載を「又は前記外部接続機器である内視鏡画像、内視鏡関連情報を記録するファイル装置のいずれかを」に、それぞれ訂正することによって、「外部接続機器」の構成を限定したものであって、この訂正は、特許明細書の段落【００２１】、【００２８】、【００３７】、【００３９】、【００４３】、【００４４】、【００４６】及び【００４７】の記載に基づくものであるから、特許明細書の記載事項の範囲内の訂正であり、、新規事項の追加に該当せず、実質上特許請求の範囲を拡張しまたは変更するものではない。
イ．訂正事項ｂについて、
　訂正事項ｂは、請求項３の記載を、請求項１または請求項２に従属する形式から独立項に書き換えたもので、内容に変更はなく実質的に同一の発明内容である。
ウ．訂正事項ｃについて、
　訂正事項ｃは、訂正事項ａないしｂによって訂正された特許請求の範囲の記載に整合するように、明細書の記載を訂正するものであるから、明りょうでない記載の釈明を目的とするものであって、特許明細書の記載事項の範囲内の訂正であり、新規事項の追加に該当せず、実質上特許請求の範囲を拡張しまたは変更するものではない。
　
２．３　むすび
　以上のとおりであるから、上記訂正は、特許法第１２０条の４第２項及び同条第３項において準用する特許法第１２６条第２項から第４項までの規定に適合するので、当該訂正を認める。
　
３．特許異議の申立について
３．１　申立の理由の概要
　申立人ペンタックス株式会社は、本件特許発明に対して、証拠として
甲第１号証：特開平５−２７７０６４号公報
甲第２号証：特開昭６３−１８６６１９号公報
甲第３号証：ビデオプロセッサーＥＰＭ−３３００取扱説明書
甲第４号証：ペンタックスビデオプロセッサーＥＰＭ−３３００用接続基板取扱説明書
を提出し、概略以下のとおり主張している。
　本件請求項１及び２に係る特許発明は、甲第１号証ないし甲第４号証に記載された発明に基づいて、当業者が容易に発明することができたものであるから、特許法第２９条第２項の規定により特許を受けることができないものであり、特許法第１１３条第１項第２号の規定により取り消すべきものである。
　
３．２　本件発明
　前述のとおり訂正請求が認められたので、本件請求項１ないし２に係る発明（以下、それぞれ「本件発明１」ないし「本件発明２」という。）は、訂正明細書の請求項１ないし２に記載された事項によって特定される次のとおりのものである。
「【請求項１】　別紙「訂正事項ａ」参照。　
　【請求項２】前記操作入力手段はキーボードであり、このキーボードは、該キーボード内の操作キー及び制御キーの一部もしくは全てが、前記システム制御手段及び前記１つ以上の外部接続機器で共通して使用されるよう選択するスイッチ手段を備えたことを特徴とする請求項１に記載の内視鏡システム。」
　
３．３　甲号各証の記載内容
(1）甲第１号証
　周辺機器が接続される内視鏡装置に関するものであって、
(1a)　第２頁２欄３−７行に「内視鏡１０は、先端１１ａに対物光学系と固体撮像素子などを内蔵した可撓性の挿入部１１の基端側に、各種操作装置が設けられた操作部１２が連結され、可撓性の連結管１３によってビデオプロセッサ２０に接続されている。」
(1b)　第２頁２欄１２−１６行に「ビデオプロセッサ２０内には、画像信号を処理するためのプロセッサの他、ライトガイドファイババンドルに照明光を供給するための光源ランプや、その供給光量を調整するための光量調整装置など、内視鏡用光源装置としての装置も内蔵されている。」
(1c)　第２頁２欄２３−２７行に「６１，６２及び６３は、周辺機器として用いられている第１、第２及び第３のＶＣＲ（ビデオカセットレコーダ）であり、各々、接続ケーブル６６，６７，６８によってビデオプロセッサ２０の背面部に接続されている。」
(1d)　第２頁２欄４６−４９行に「パネルスイッチ２１ａ、光源ランプ２４を制御するためのランプ制御回路２５及びキーボード４１は、各々入出力ポート３８，３９，４０を介して接続されている。」
(1e)　第３頁４欄４４−４８行に「図１２は、装着口１〜３に接続されているＶＣＲ６１，６２，６３のうち制御対象にするＶＣＲを選択するプログラムのフローチャートを示しており、図１１に示される主処理中のキーボード処理に含まれている。」
が、それぞれ図面とともに記載されている。
　
(2）甲第２号証
　外部接続ユニットが接続される電子内視鏡装置に関するものであって、
(2a)　第２頁右下欄第１７〜２０行に「このシステムコントローラ２は、プログラムメモリ１１のシステムプログラムに従って動作される演算ユニット１２を基本的に備えている。」とあり、第３頁左下欄第１５−１８行に「システムプログラムがスタートすると、押釦スイッチ３ｂのＯＮ−ＯＦＦ操作に対応するスイッチ信号をワーキングメモリ１３に一旦記憶後、判別処理が実行される。」とある。そして、第３頁左下欄第１９行〜第４頁右上欄第７行において当該判別処理が記載され、第４頁右上欄第８〜１１行に「これらの判定結果に応じて表示ユニット５、光源ユニット６、写真撮影ユニット７、ソフトコピーユニット８及びＶＴＲ動画コピーユニット９の制御を行なえる。」とある。
(2b)　第２頁右下欄第１０〜１５行に「押釦スイッチ３ｂによって、・・・表示画像の撮影用のカメラのシャッタリリース要求のための操作、照明光源の増減要求のための操作、表示画像のビデオディスクやＶＴＲ等へのソフトコピー要求のための操作等を行うことができるものである。」とある。
　
(3）甲第３号証
　ビデオプロセッサーの取扱説明書であり、次の事項が記載されている。
(3a）第１頁に前面パネルの図が示されており、第２頁には、「1（丸数字）ライトガイド差し込み口　内視鏡のライトガイドを差し込みます。2（丸数字）スコープの電気コネクタ差し込み口」が記載されている。
(3b）同頁に「18（丸数字）KEYBOARD：キーボードコネクター　　付属のキーボードを接続します。」が記載されている。
(3c）第３頁に背面パネルの図が示されており、第４頁には、「3（丸数字）Ｉ／Ｏ　BOARD：外部機器インターフェース　　ハードコピーやＶＴＲ等のコントロール用ボード（オプション）を差し込みます。」が記載されている。
(3d）第７〜８頁には、キーボードより英数字及びキャラクターが入力できることが記載されており、第９〜１０頁には、標準モードの画面上で患者名、年齢、性別、ドクター名、コメント等の内視鏡関連情報が入力可能であることが記載されている。また、第７頁には、キー配列が示されており、「6（丸数字）エンターキー：拡張モードでの選択項の決定と文字入力決定の時に使用します」が記載されている。
(3e）第１４頁には、「［Ctrl］キーと［F1］を同時に押すことにより、拡張モードに入ります。拡張モードでは、画面に表示されるメニューを選択することにより、種々の操作が可能となります。拡張モードでは［↑］又は［↓］キーでメニューの内容を選択し、［Enter］キーを押して確定します。」が記載されており、第１３頁の機能一覧表には、拡張モードでは、コピー（静止画記録装置の遠隔操作）とＶＣＲ（ビデオテープレコーダーの遠隔操作）が可能となることが示されている。
(3f）第３６頁には、〔Ctrl〕キー＋〔F1〕を同時に押すことにより、メインメニュー10（拡張モード）が現れ、「0）Esc」を選択、実行（Enterキー）で通常画面に戻ることが記載されている。また、第１０頁には、〔↓〕又は〔Enter〕を押し続けるとカーソルが上述の内視鏡関連情報の入力欄を順次移動することが記載されている。
　これらの記載から甲第３号証には、次の構成・機能を有するビデオプロセッサーが記載されているものと認められる。
(A）内視鏡及び複数の外部接続機器が接続されること、
(B）内視鏡関連情報の入力を行うと共に、前記外部接続機器を制御するための操作入力を行うキーボードが接続されること、
(C) キーボードから入力される入力信号をビデオプロセッサーの処理部及び外部接続機器の中のいずれかに出力すること、
(D) キーボードのキー操作によって、拡張モードと通常画面とを選択でき、拡張モードでは、メインメニューの内容を選択することにより外部接続機器のいずれかを選択すること。
　
(4）甲第４号証
　甲第３号証のビデオプロセッサに用いられる制御用基板に関するものである。
(4a)　第１頁の「１．始めに」には「これらの基板は、下記の各種周辺装置を利用するために、ペンタックスビデオプロセッサーＥＰＭ−３３００」に組み込んで使用するものです。」とあり、当該基板が上述のビデオプロセッサに接続されるものであることが理解される。そして、同号証第４頁の「項目４−２）拡張モード」の「項目２（丸数字）」には「キーボードの“Ｃｔｒｌ”と“Ｆ１”キー・・・を同時に押して拡張モードに入ります。」とある。
(4b)　第４〜５頁には、拡張モードで表示されるサブメニュー２１（同号証第４頁の項目５（丸数字）の中から、キーボードの矢印キー等を操作することにより、各周辺装置（ビデオプリンター、ビデオレコーダー）毎のサブメニュー（同号証第５頁の項目６（丸数字）が表示されることが記載されている。そして、同号証第５頁の「項目７（丸数字）」には、各サブメニューにおいてそれぞれの周辺装置特有の処理が実行できることが記載されている。
　
３．４　対比・判断
（１）本件発明１について
　本件発明１と甲号各証に記載の発明とをそれぞれ対比する。
　本件発明１は、「外部接続機器として内視鏡画像、内視鏡関連情報を記録するファイル装置を接続すること」および「内視鏡関連情報の入力を行う操作入力手段の出力をシステム制御手段の内部の処理部と外部接続機器の１つである内視鏡画像、内視鏡関連情報を記録するファイル装置のいずれかに選択的に出力すること」、即ち、換言すれば「内視鏡関連情報の入力を行う操作入力手段を、内視鏡が接続されるシステム制御手段と、外部接続された内視鏡画像、内視鏡関連情報を記録するファイル装置とに共通にすること」を必須の構成とするものであって、この構成を有することによって、簡単かつコンパクトに、内視鏡が接続されるシステム制御手段及び内視鏡画像、内視鏡関連情報を記録するファイル装置を、効率的に操作することができるという明細書記載の効果を奏するものである。
　
　これに対して、甲第１号証には、
「内視鏡及び周辺機器としてＶＣＲ（ビデオカセットレコーダ）が接続されるビデオプロセッサを有する内視鏡装置」が記載されているが、これは規格の異なる複数のＶＣＲに同時に録画することを目的とするものである。
　ここで、通常のＶＣＲは画像と患者データ・日時・コメントなどのいわゆる情報データとをともに記録できるようにはなっていないから、甲第１号証のＶＣＲにおいても、格別の構成が示されていない以上、内視鏡画像の録画とともに内視鏡関連情報を記録することができたものとして把握することはできない。
　それ故、甲第１号証のＶＣＲが本件発明１における外部接続された内視鏡画像、内視鏡関連情報を記録するファイル装置に相当するものとはいえず、したがって、甲第１号証のものは外部接続機器に内視鏡関連情報の入力を行う操作入力手段も有していない。
　よって、甲第１号証には上記本件発明１の必須の構成である「内視鏡関連情報の入力を行う操作入力手段を、内視鏡が接続されるシステム制御手段と、外部接続される内視鏡画像、内視鏡関連情報を記録するファイル装置とに共通にすること」については記載も示唆もされておらず、また、甲第１号証のものに上記構成を備えることが当業者が容易になし得たものとすることもできない。
　
　甲第２号証には、
　「内視鏡及びＶＴＲ動画コピーユニットが接続されるシステムコントローラを有する電子内視鏡装置」が記載されており、システムコントローラでＶＴＲ動画コピーユニットの動作制御を行うことは記載されているが、ＶＴＲ動画コピーユニットに内視鏡関連情報を入力することについては記載も示唆もされていない。そして、通常のＶＴＲは画像と情報データとをともに記録できるようにはなっていないことは上記ＶＣＲの場合と同様であるから、甲第２号証のＶＴＲにおいても、格別の構成が示されていない以上、内視鏡画像の録画とともに内視鏡関連情報を記録することができたとする根拠が存在しない。
　それ故、甲第２号証のＶＴＲが本件発明１における外部接続された内視鏡画像、内視鏡関連情報を記録するファイル装置に相当するものとはいえず、したがって、甲第２号証のキーボードパネルは、ＶＴＲに対しては、動作制御を行うだけであって、内視鏡関連情報の入力を行うものとはなっていない。
　よって、甲第２号証には上記本件発明１の必須の構成である「内視鏡関連情報の入力を行う操作入力手段を、内視鏡が接続されるシステム制御手段と、外部接続される内視鏡画像、内視鏡関連情報を記録するファイル装置とに共通にすること」については記載も示唆もされておらず、また、甲第２号証のものに上記構成を備えることが当業者が容易になし得たものとすることもできない。
　
　甲第３号証には、
　キーボードからシステム制御手段に内視鏡関連情報を入力すると共に、拡張モードにすることによって、キーボードから外部接続機器を制御できることが示されている。
　そして、外部接続される機器としてはＣＯＰＹとＶＣＲ：ＶＴＲが示されているが、それぞれの機器自体は、通常は画像とともに情報データを記録できるようにはなっていないから、甲第３号証のＣＯＰＹまたはＶＣＲ：ＶＴＲにおいても、格別の構成が示されていない以上、画像とともに情報データを記録できたものとして把握することはできない。
　それ故、甲第３号証のＣＯＰＹまたはＶＣＲ：ＶＴＲが、本件発明１における外部接続された内視鏡画像、内視鏡関連情報を記録するファイル装置に相当するものとはいえず、したがって、拡張モードによって、キーボードをＶＣＲ：ＶＴＲに結合した場合には、キーボードパネルからは、ＶＣＲ：ＶＴＲの動作制御信号が供給されるだけであって、内視鏡関連情報を入力できるようにはなっていない。
　よって、甲第３号証には上記本件発明１の必須の構成である「内視鏡関連情報の入力を行う操作入力手段を、内視鏡が接続されるシステム制御手段と、外部接続された内視鏡画像、内視鏡関連情報を記録するファイル装置とに共通にすること」については記載も示唆もされておらず、また、甲第３号証のものに上記構成を備えることが当業者が容易になし得たものとすることもできない。
　
　甲第４号証は、甲第３号証の「ペンタックスビデオプロセッサーＥＰＭ−３３００」に組み込んで使用する外部接続用の基板に関する説明書であって、外部接続機器として、ＶＴＲ、プリンタ等の接続に関して説明されているが、これらの機器が、本件発明１の内視鏡画像、内視鏡関連情報を記録するファイル装置に相当するものでないことは上述のとおりであり、したがって、当然に、上記本件発明１の必須の構成である「内視鏡関連情報の入力を行う操作入力手段を、内視鏡が接続されるシステム制御手段と、内視鏡画像、内視鏡関連情報を記録するファイル装置とに共通にすること」については記載も示唆もされていない。
　
　以上のとおり、本件発明１の必須の構成要件である「内視鏡関連情報の入力を行う操作入力手段を、内視鏡が接続されるシステム制御手段と、外部接続された内視鏡画像、内視鏡関連情報を記録するファイル装置とに共通にすること」については甲第１号証ないし甲第４号証のいずれにも記載も示唆もされておらず、また、「外部装置として内視鏡画像、内視鏡関連情報を記録するファイル装置を接続すること」についてさえもいずれにも記載されていないことから、本件発明１の上記必須の構成を備えることが当業者が容易になし得たものとすることはできない。
　そして、本件発明１は、上記構成を有することによって、その他の構成と相俟って、明細書記載の効果を奏するものと認められる。
　したがって、本件発明１が甲第１号証ないし甲第４号証に記載の発明に基づいて当業者が容易に発明できたものとすることはできない。
　
（２）本件発明２について
　本件発明２は、本件発明１の構成を有し、さらに操作入力手段の構成を限定したものであるから、上述のとおり、本件発明１が甲第１号証ないし甲第４号証に記載の発明から容易に発明できたものとすることができない以上、本件発明２についても、上述したと同様の理由によって甲第１号証ないし甲第４号証に記載の発明に基づいて容易に発明できたものとすることはできない。
　
３．５　むすび
　以上のとおりであるから、本件請求項１ないし２に係る特許発明は、特許異議申立の理由及び証拠によっては取り消すべきものとすることはできない。
　また、他に本件請求項１ないし２に係る特許発明の特許を取り消すべき理由を発見しない。
　よって、結論のとおり決定する。
【異議決定日】
平成１６年５月１９日（２００４．５．１９）
【訂正の要旨】
審決（決定）の【理由】欄参照。
（５４）【発明の名称】
内視鏡システム
（５７）【特許請求の範囲】
　【請求項１】内視鏡及び
内視鏡画像、内視鏡関連情報を記録するファイル装置を含む
　前記システム制御手段
又は前記外部接続機器の１つである内視鏡画像、内視鏡関連情報を記録するファイル装置
　前記システム制御手段に設けられ、前記
外部接続機器の１つである内視鏡画像、内視鏡関連情報を記録するファイル装置
又は前記内視鏡画像、内視鏡関連情報を記録するファイル装置の
　前記選択手段が前記システム制御手段
又は前記外部接続機器である内視鏡画像、内視鏡関連情報を記録するファイル装置の
　を備えたことを特徴とする内視鏡システム。
　【請求項２】前記操作入力手段はキーボードであり、このキーボードは、該キーボード内の操作キー及び制御キーの一部もしくは全てが、前記システム制御手段及び前記１つ以上の外部接続機器で共通して使用されるよう選択するスイッチ手段を備えたことを特徴とする請求項１に記載の内視鏡システム。
　【請求項３】
内視鏡及び１つ以上の外部接続機器が接続されるシステム制御手段を有する内視鏡システムにおいて、
　前記システム制御手段に対して内視鏡関連情報の入力を行うと共に、前記１つ以上の外部接続機器を制御するための操作入力を行う操作入力手段と、
　前記システム制御手段に設けられ、前記１つ以上の外部接続機器に接続されて、前記操作入力手段から入力される操作入力信号を、前記システム制御手段の内部の処理部及び１つ以上の外部接続機器のいずれかに選択的に出力する選択手段と、
　前記選択手段が前記システム制御手段及び前記１つ以上の外部接続機器の中のいずれかを選択するための出力信号を発生する選択入力手段と、
　を備え、
　前記１つ以上の外部接続機器のうち少なくとも１つはプリンタであり、１枚の印刷用紙に印刷される内視鏡画像数の設定と前記プリンタの印刷枚数の設定とを少なくとも行う設定手段を操作入力手段に設け、
　又は、前記操作入力手段はキーボードであり、このキーボードは、該キーボード内の操作キー及び制御キーの一部もしくは全てが、前記システム制御手段及び前記１つ以上の外部接続機器で共通して使用されるよう選択するスイッチ手段を備え、
さらに
【発明の詳細な説明】
　【０００１】
　【発明の属する技術分野】
　本発明は内視鏡システム、更に詳しくは複数の信号処理機器の制御部分に特徴のある内視鏡システムに関する。
　【０００２】
　【従来の技術】
　近年、複数の装置を制御するための、操作手段を備えた装置が使用されている。
　【０００３】
　例えば、特開平３−１９８１１７号公報では、ワークステーションからの出力情報と他の映像機器の出力映像とを表示可能な表示部に対して操作装置として、キーボードと電子タッチパネルとを有し、電子タッチパネルからの操作によって制御可能なスイッチを有し、該スイッチによってキーボードと電子タッチパネルの操作入力を排他選択的にワークステーションに接続する操作部入力制御部を設けている。
　【０００４】
　また、特開平７−１２４１７４号公報では、専用の集中設定制御パネルを設け、このパネルと前記医療機器とを通信ケーブルで接続することにより、複数の医療機器の一括集中制御が可能な医療制御システムを提供している。
　【０００５】
　さらに、体腔内を撮像する内視鏡システムにおいて、前記内視鏡システムから出力される内視鏡画像、及び内視鏡関連情報を記録したファイリング装置により出力される内視鏡関連情報をプリンタにより印刷する場合、印刷枚数や表示される分割枚数等の設定はプリンタ本体側において行うことが一般的である。
　【０００６】
　【発明が解決しようとする課題】
　しかしながら、上記特開平３−１９８１１７公報では、機能毎に操作部が分割されており（キーボードと電子タッチパネル）、操作する際に非効率であると共に、装置の大型化につながり、問題であった。
　【０００７】
　また、上記特開平７−１２４１７４公報では、専用の集中設定制御パネルを設けたために、装置が大型化すると共に、装置が高価なものになってしまうという問題があった。
　【０００８】
　さらに、従来の体腔内を撮像する内視鏡システムにおいて、前記内視鏡システムから出力される内視鏡画像、及び内視鏡関連情報を記録したファイリング装置により出力される内視鏡関連情報をプリンタにより印刷する場合、印刷枚数や表示される分割枚数等の設定はプリンタ本体側において行うことが一般的である。これは、プロセッサの他にプリンタを操作することになるため、操作する際に非効率であった。
　【０００９】
　本発明は、上記事情に鑑みてなされたものであり、簡単かつコンパクトに、複数の信号処理機器を効率的に操作することのできる内視鏡システムを提供することを目的としている。
　【００１０】
　【課題を解決するための手段】
　本発明の請求項１に係る内視鏡システムは、内視鏡及び
内視鏡画像、内視鏡関連情報を記録するファイル装置を含む
　前記システム制御手段
又は前記外部接続機器の１つである内視鏡画像、内視鏡関連情報を記録するファイル装置
　前記システム制御手段に設けられ、前記
外部接続機器の１つである内視鏡画像、内視鏡関連情報を記録するファイル装置
又は前記内視鏡画像、内視鏡関連情報を記録するファイル装置の
　前記選択手段が前記システム制御手段
又は前記外部接続機器である内視鏡画像、内視鏡関連情報を記録するファイル装置の
　を備えたことを特徴とする。
　【００１１】
　本発明の請求項２に係る内視鏡システムは、前記操作入力手段はキーボードであり、このキーボードは、該キーボード内の操作キー及び制御キーの一部もしくは全てが、前記システム制御手段及び前記１つ以上の外部接続機器で共通して使用されるよう選択するスイッチ手段を備えたことを特徴とする。
　【００１２】
　本発明の請求項３に係る内視鏡システムは、前記１つ以上の外部接続機器のうち少なくとも１つはプリンタであり、１枚の印刷用紙に印刷される内視鏡画像数の設定と前記プリンタの印刷枚数の設定とを少なくとも行う設定手段を操作入力手段に設けたことを特徴とする。
　【００１３】
　【００１４】
　【発明の実施の形態】
以下、図面を参照しながら本発明の実施の形態について述べる。
　【００１５】
　図１ないし図９は本発明の第１の実施の形態に係わり、図１は内視鏡システムの構成を示す構成図、図２は図１のキーボードの構成を示す構成図、図３は図２のプリンタを制御するキーの構成を示す構成図、図４は図１の内視鏡システムの作用を説明する第１のフローチャート、図５は図４の処理によりモニタに表示される表示例を示す第１の図、図６は図４の処理によりモニタに表示される表示例を示す第２の図、図７は図１の内視鏡システムの作用を説明する第２のフローチャート、図８は図７の処理によりプリンタに印刷されたプリント例を示す図、図９は図２のキーボードの変形例の構成を示す構成図である。
　【００１６】
　本実施の形態の内視鏡システムは、図１に示すように、体腔内を撮像する内視鏡１と、内視鏡１が撮像した撮像信号を信号処理するプロセッサ２と、内視鏡に照明光を供給する光源装置５とから構成され、光源装置５は内視鏡１のコネクタ１ａを介して内視鏡１に接続され、プロセッサ２はコネクタ２ａ及びコネクタ１ａを介して内視鏡１に接続されている。
　【００１７】
　内視鏡１は、被検体を撮像して電気信号に変換するために挿入部３の先端に配置された対物レンズ４ａ及びＣＣＤ（固体撮像素子）４、レリーズスイッチ１ｂ及び図示しないライトガイド等から構成されており、光源装置５のランプから供給された照明光は、前記ライトガイドによって伝送され、挿入部３の先端部に設けた図示しない照明窓に取り付けられた先端部から被検体に出射される。
　【００１８】
　プロセッサ２は、複数の演算処理を行うＣＰＵ６と、内視鏡１内のＣＣＤ４より光電変換された映像信号の画像処理を行いＣＰＵ６によって制御される映像信号処理回路７と、ＣＰＵ６を動作させるプログラム及びキーボード８や操作パネル９等によって設定されるユーザ設定情報などを記憶保持する書き換え可能な不揮発性ＲＯＭ１０と、演算等に用いられる演算用メモリＲＡＭ１１と、シリアルインターフェースで通信し後述する外部接続機器に制御コマンド又は複数のデータをシリアル変換して送受信を行うシリアル通信コントローラ（ＳＩＯ）１２と、パラレルインターフェースで通信するパラレル通信コントローラ（ＰＩＯ）１３と、ＣＰＵ６の暴走を防止するためのウォッチドッグタイマ（ＷＤＴ）１４と、カウンタタイマ（ＣＴＣ）１５と、映像信号処理回路７により映像処理された内視鏡画像及び患者データ・日時・コメントなどの前記内視鏡画像に関する情報（以下内視鏡関連情報という）の表示を制御する表示コントローラ１６と、表示コントローラ用メモリである表示メモリ１７と、映像信号処理回路７からの内視鏡画像と表示コントローラ１６から出力される内視鏡関連情報の表示データと後述する外部接続機器との入出力信号を制御信号生成回路１８及びＣＰＵ６により切り替える映像信号切替回路１９と、ＣＣＤ４を駆動するＣＣＤ駆動電源２０と、前記プロセッサ２の操作を行う操作パネル９、ＬＥＤ２１、ブザー２２等から構成される。
　【００１９】
　プロセッサ２は、ＲＯＭ１０に格納されているプログラムによりＣＰＵ６を制御し、以下の動作を行う。
　【００２０】
・ＰＩＯ１３を経由して、ＬＥＤ２１・ブザー２２の制御
・表示コントローラ１６・表示メモリ１７により内視鏡関連情報データの作成
・表示コントローラ１６・表示メモリ１７・制御信号生成回路１８・映像信号切替回路１９により、モニタ２４・プリンタ２５・ＶＴＲ２６・モニタ撮影装置２７・デジタルファイル装置２８への内視鏡１の撮像画像及び内視鏡関連情報の出力
・映像信号処理回路７による内視鏡画像の画像処理
・ＳＩＯ１２又はＰＩＯ１３を経由してモニタ２４・プリンタ２５・ＶＴＲ２６・モニタ撮影装置２７・デジタルファイル装置２８の制御
　また、前記の動作は、操作パネル９、キーボード８によりＣＰＵ６を制御することによっても、制御される。
　【００２１】
　前記プロセッサ２は、複数の外部接続機器（キーボード８、モニタ２４、プリンタ２５、ＶＴＲ２６、モニタ撮影装置２７、デジタルファイル装置２８）と接続される。
　【００２２】
　モニタ２４は、映像信号処理回路７及び表示コントローラ１６で生成される内視鏡画像・内視鏡関連情報や、プリンタ２５、ＶＴＲ２６、モニタ撮影装置２７、デジタルファイル装置２８からプロセッサ２に入力される画像を、映像信号切替回路１９によって表示する画像を切り替えることによって表示する。
　【００２３】
　プリンタ２５は、映像信号切替回路１９によって切り替えられて入力される画像を複数記憶すると共に、プリンタ２５が１枚の印刷用紙に印刷する内視鏡画像の数（以下、分割数という）、および１回の印刷操作で印刷される印刷枚数の設定に従って、内視鏡画像を印刷する。
　【００２４】
　また、内視鏡１内のレリーズスイッチ１ｂにより入力され、ＰＩＯ１３を経由してＣＰＵ６に入力されるレリーズ信号により、ＣＰＵ６は、ＳＩＯ１２を経由してプリンタ２５、ＶＴＲ２６、モニタ撮影装置２７、デジタルファイル装置２８に、レリーズ信号を送信し、映像切替回路７から出力される動画像又は静止画像の記録を行う。
　【００２５】
　デジタルファイル装置２８は、図示しない画像圧縮装置及び画像管理装置（パソコンを含む）から構成され、モニタ２４の他、ファイル用モニタ２９で表示可能である。
　【００２６】
　キーボード８は、ＳＩＯ１２を経由して、プロセッサ２に接続される。キーボード８には、内視鏡関連情報を入力又は操作する操作キーと、外部接続機器を制御する制御キーを有し、コマンド又はデータを送受信する。
　【００２７】
　図２は、キーボード８の詳細の構成を示すものであり、符号３４はキーボード２２の上面図、符号３５はキーボード８の側面図を示す。
　【００２８】
　キー３０、３１はキーボード８で制御されるプロセッサ２及びデジタルファイル装置２８において、共通の機能として使用される文字入力・文字消去・カーソル移動・モニタ２４又はファイル用モニタ２９の画面の制御などの、内視鏡関連情報操作キー及び画面制御キーを示し、各キースイッチを入力することによってキーに対応したコマンド又はデータが送受信される。
　【００２９】
　キーボード８上のキー３０は、例えば日本工業規格（ＪＩＳ）あるいはＡＳＣＩＩ配列に準拠したキーボードであり、キーに印刷されている文字及び記号を入力すると共に、文字消去や文字選択等の文字入力に付随した各種関連操作を行う。
　【００３０】
　キー３２、３３は各外部接続機器で専用に使われる制御キーを示し、各キーを入力することにより各外部機器を制御するためのコマンド又はデータが送受信される。
　【００３１】
　なお、キー３０〜３２は、メカニカルスイッチのため、キーにストロークがあり、操作性に優れている。
　【００３２】
　また、キー３０〜３２は、単一のキー入力だけでなく、複数のキー（例えばＣｔｒｌ＋“Ｃ”）を同時に押下した場合に、そのキーあるいはキー上部に印刷された各キー機能以外の内視鏡関連操作又は画面制御を行ってもよい。
　【００３３】
　また、キー３２の各キー機能を示すための印刷部位は、キーのキートップ部（キー自体の上辺部）でもよく、キーの周囲部（例えば図２で示したようにキーの上側）でもよい。キー３２の各機能を以下の表１に示す。
　【００３４】
　【表１】
キー３３は、複数のフラットキー４７〜５３及び複数のＬＥＤ３６〜４６とから、図３に示すように、構成されている。フラットキーは、払拭性がよく、防水性、耐薬品性にも優れているため、消毒を容易に行うことができる。またメカニカルスイッチよりも安価に作成できる。キー３３及びＬＥＤの機能を以下の表２及び表３に示す。
　【００３５】
　【表２】
　【表３】
なお、キーボード８の上面（キーを押す面）全体には、防水・防塵用にシートをかぶせ、シートの上から、キーボード８の各キーを押すことにより、制御を行ってもよい。
　【００３６】
　次に、このように構成された本実施の形態の作用について説明する。
　【００３７】
　図４は、キーボード８のセレクトキー４７（図３参照）により、プロセッサ２又はデジタルファイル装置２８の制御の切替えを行う動作を示すフローチャートを示す。
　【００３８】
　まず、図４に示すように、ステップＳ１でプロセッサ２を電源ＯＮ後、ＲＯＭ１０に格納されているプログラムにより、プリセットで選択されている機器（例えばプロセッサ２）を制御するようにする。具体的には、まず、ＣＰＵ６から、ＳＩＯ１２を経由してキーボード８にコマンドを送信し、プロセッサ２の選択時に点灯するＬＥＤ３６（図３参照）を点灯することにより、キーボード８がプロセッサ２を選択して制御することを表示する。
　【００３９】
　この時（プロセッサ２が選択されている時）は、まずキーボード８内のキー３０，３１により、共通の機能として使用される文字コード入力・文字消去・カーソル移動・画面の制御（モニタ２４）等の、内視鏡関連情報操作及び画面制御が行われる。具体的には、キー３０、３１の各キーを押下することによってキーに対応したコマンド又はデータがＳＩＯ１２を経由してＣＰＵ６に入力される。
　【００４０】
　コマンド又はデータを受信したＣＰＵ６は、
・表示コントローラ１６・表示メモリ１７により表示する内視鏡関連情報データの作成
・表示コントローラ１６・表示メモリ１７・制御信号生成回路１８・映像信号切替回路１９により、モニタ２４・プリンタ２５・ＶＴＲ２６・モニタ撮影装置２７・デジタルファイル装置２８への内視鏡１の撮像画像及び内視鏡関連情報の出力
・映像信号処理回路７による内視鏡画像の画像処理
等、プロセッサ２の制御を行う。
　【００４１】
　モニタ２４には、図５に示すように、内視鏡画像表示部５４と患者データ５５とからなる画面上にプロセッサ２が選択されたことを示す表示である「ＣＶｓｅｌｅｃｔ！」５６を表示してもよい。また、この表示は、一定時間後に自動的に消去されてもよく、又は操作パネル９、キーボード８内のキーの入力により消去してもよい。
　【００４２】
　一方、キーボード８内のキー３２、３３は、前に示した機器専用キーによるプロセッサ２の制御及びプリンタ２５の制御キー（キー３３の全キー及びキー３２のうちＦ１〜Ｆ８）のみ機能し、その他の制御キーは機能しないようにＣＰＵ６が制御する。
　【００４３】
　次に、ステップＳ２でキーボード８内のセレクトキー４７（図３参照）を一回押下すると、キーボード８から送信されたコマンドがＳＩＯ１２を経由してプロセッサ２内に入力され、ＣＰＵ６は、コマンドを受信後、ステップＳ３でまず現在選択されている機器を確認する。
　【００４４】
　現在選択されているのがプロセッサ２の場合は、ＣＰＵ６はＳＩＯ１２を経由してコマンドを送信し、ステップＳ４でプロセッサ選択用のＬＥＤ３６（図３参照）の消灯し、ステップＳ５でデジタルファイル装置選択用のＬＥＤ３７（図３参照）の点灯を行い、デジタルファイル装置２８が選択されたことを示す。
　【００４５】
　そしてステップＳ６で、モニタ２４には、図６に示すように、デジタルファイル装置２８が選択されたことを示す表示である「ＰＣｓｅｌｅｃｔ！」５７が表示される。この表示は、一定時間後に自動的に消去されてもよく、又は操作パネル９、キーボード８内のキーの入力により消去してもよい。
　【００４６】
　この時（デジタルファイル装置２８が選択されている時）は、ステップＳ７で、まずキーボード８内のキー３０，３１により、共通の機能として使用される文字コード入力・文字消去・カーソル移動・画面の制御（ファイル用モニタ２９）などの、内視鏡関連情報操作及び画面制御が行われる。具体的には、キーボード８内のキー３０，３１から入力されたコマンド又はデータがＳＩＯ１２を経由してＣＰＵ６に入力される。
　【００４７】
　コマンド又はデータを受信したＣＰＵ６は、そのコマンドをＳＩＯ１２を経由してデジタルファイル装置２８に送信する。デジタルファイル装置２８は、前記コマンドを受信後にそのコマンドより、ファイル用モニタ２９へ表示する文字の制御、ファイル用モニタ２９の画面制御などの動作を行う。
　【００４８】
　この時、プロセッサ２は、キーボード８から送信されたコマンド又はデータをデジタルファイル装置２８に送信することのみ行い、キーボード８からのコマンド又はデータによるプロセッサ２自体の制御は行わない（セレクトキー４７による制御は除く）。
　【００４９】
　一方、キーボード８内のキー３２、３３は、デジタルファイル装置２８の制御キー（キー３２の内Ｆ９〜Ｆ１２及びＰ．Ｓｃｒ／ＳｙｓＲｑ、ＳｃｒｏｌｌＬｏｃｋ、Ｐａｕｓｅ／Ｂｒｅａｋのみ）のみ機能し、その他め制御キーは機能しないようにＣＰＵ６が制御する。
　【００５０】
　現在選択されているのがデジタルファイル装置２８の場合は、ステップＳ３からステップＳ８に移行し、ＣＰＵ６からＳＩＯ１２を経由してコマンドを送信し、ステップＳ８でＬＥＤ３７（図３参照）の消灯し、ステップＳ９でＬＥＤ３６（図３参照）の点灯を行い、プロセッサ２が選択されたことを示す。
　【００５１】
　また、モニタ２４には、図５に示したように、ステップＳ１０でプロセッサ２が選択されたことを示す表示である「ＣＶｓｅｌｅｃｔ！」５６が表示される。この表示は、一定時間後に自動的に消去されてもよく、又は操作パネル９、キーボード８内のキーの入力により消去してもよい。
　【００５２】
　この後（プロセッサ２が選択された時）、ステップＳ１１で、前に記述したように、キーボード８のキー３０，３１により、共通の機能として使用される文字コード入力・文字消去・カーソル移動・画面の制御（モニタ２４）等の、内視鏡関連情報操作及び画面制御が行われる。キーボード８内のキー３２、３３は、前に示した機器専用キーによるプロセッサ２の制御及びプリンタ２４の制御キー（キー３３の全キー及びキー３２の内Ｆ１〜Ｆ８）のみ機能し、その他の制御キーは機能しないようにＣＰＵ６が制御する。キーボード８から送信されるコマンド又はデータをそのままＳＩＯ１２を経由してデジタルファイル装置２８には送信しない。
　【００５３】
　ステップＳ７またはステップＳ１１の処理後はステップＳ２に戻り、セレクトキー４７を続けて１回ずつ押下する毎に、プロセッサ２又はデジタルファイル装置２８の制御の切替えを行うセレクト処理を繰り返す。
　【００５４】
　図７は、キーボード２２内のプリンタ制御キー４８〜５０によるプリンタ２５の制御の詳細を示すフローチャートである。
　【００５５】
　電源ＯＮ後、ステップＳ２１でプリンタ２５内に格納された画像枚数（Ｎ）は０枚とする。その後、ステップＳ２２でキーボード８上のキー３２内のシステムセットアップキー（Ｆ６）、又は操作パネル９上のシステム設定キー（図示せず）を押下することにより、モニタ２４にシステム設定画面を表示する。このシステム設定画面上で、ユーザが独自に設定する分割数（ＬＥＤ４１点灯時に有効となる：図３参照）、および印刷枚数（ＬＥＤ４５点灯時に有効となる：図３参照）を設定する。分割数は８／９／１６の中から、印刷枚数は４〜９枚の中からユーザが適宜選択を行う。
　【００５６】
　その後、ステップＳ２３でキーボード８上のＭｕｌｔｉＰｉｘ．キー４８の押下により、プリンタ印刷時の分割数（例えば４分割なら、１枚のプリント用紙に４つまでの内視鏡画像が印刷される）を設定し、ＰｒｉｎｔＱｔｙキー５０の押下より、プリンタ内のメモリに格納された内視鏡画像をプリントアウトする枚数（例えば５枚）を設定する（図３参照）。
　【００５７】
　その後、ステップＳ２４で内視鏡１内のレリーズスイッチ１ｂによるレリーズ信号がＰＩＯ１３を経由して入力されるか、キーボード８上のレリーズキー５２（図３参照）によるレリーズ信号がＳＩＯ１２を経由して入力されることにより、ステップＳ２５でメモリ内に格納されている画像枚数Ｎが＋１加算されると共に、ステップＳ２６で前記レリーズ信号がＣＰＵ６により、ＳＩＯ１２を経由してプリンタ２５に送信され、プリンタ２５は映像信号切替回路１９から送信された画像を内部のメモリ（図示しない）に１画像分取り込む。
　【００５８】
　次に、ステップＳ２７において、ステップＳ２３で設定した分割数Ｙとレリーズ操作によりメモリ内に格納されている画像枚数Ｎとの比較を行う。
　【００５９】
　ステップＳ２７でＮ＜Ｙであれば、ステップＳ２８でキーボード８上のプリントキー４９（図３参照）が押下されたか否かを判別し、プリントキー４９が押下されていない場合はステップＳ２９でレリーズスイッチ１ｂが押下されたか否かを判別する。
　【００６０】
　ステップＳ２８でプリントキー４９が押下されれば、ステップＳ３０においてステップＳ２３で設定した枚数（Ｘ）をプリントアウトし、内視鏡１内のレリーズスイッチ１ｂあるいはキーボード８上のレリーズキー５２が押下されるまで待機する（ステップＳ２８またはステップＳ２９）。プリントキー４９が押下されずに前記レリーズキー５２が押下されれば、ステップＳ２５の工程へフィードバックしＮの値を１増加させる。
　【００６１】
　ステップＳ２７でＮ＞Ｙであれば、ステップＳ３１において直ちにステップＳ２３で設定した枚数（Ｘ枚）を印刷し、ステップＳ３２でＮをクリアしステップＳ２４に戻る。
　【００６２】
　図８は、図７のステップＳ２３において設定された分割数（ここでは４分割）と印刷枚数（ここでは３枚）で印刷されたプリント用紙を示す。符号６６はプリンタ２４に取り込まれた１画像を示し、符号６８は内視鏡１より撮像された内視鏡画像、符号６９は内視鏡関連情報を示す。分割数設定および枚数設定は、それぞれＭｕｌｔｉＰｉｘ．キー４８およびＰｒｉｎｔＱｔｙ．キー５０の押下により行う（図３参照）。
　【００６３】
　このようにキーボード８にプリンタ専用キー（４８〜５０）を使用することにより、プリンタ２５の制御を容易に行うことができるため、ユーザは効率よく要望通りに内視鏡画像印刷を行うことが可能となる。
　【００６４】
　なお、本実施の形態において、キーボード８のプリントキー４９が押された後（ステップＳ２８，ステップＳ３０）、破線で示すようにステップＳ３２の工程へ移行し、プリンタ２５内のメモリの画像及びレリーズ回数Ｎを初期化し（Ｎ＝０）、ステップＳ２４の工程へ移行してもよい。
　【００６５】
　また、ステップＳ３２の工程で画像枚数Ｎ＝０となった後、ステップＳ２２及びステップＳ２３の設定を常に行ってもよく、前回の設定値を保持することにより省略してもよく、ユーザの必要に応じて適宜行ってもよい。
　【００６６】
　また、ステップＳ３２の工程に到達した時点で、直ちにプリンタ２５内のメモリをクリア（Ｎ＝０）してもよく、Ｎ＝０とせずに再び処理がステップＳ２６に達した際に新たな内視鏡画像をメモリに上書きして格納してもよい。
　【００６７】
　また、メモリは複数個設けてもよく、１つのメモリ内に複数個のデータ格納領域を設けて、内視鏡画像の保存先を適宜切り替えてもよい。
　【００６８】
　また、本実施の形態において、プリンタ印刷時のユーザ設定による分割数（ＬＥＤ４１）および印刷枚数（ＬＥＤ４５）は（図３参照）、
・分割数：８または９または１６分割
・枚数：４〜９枚
としたが、前記分割数および印刷枚数は、この数値に限られるものではなく、前記数値以外の任意の値であってもよい。
　【００６９】
　また、前記分割数および印刷枚数の数値は、本実施の形態と同様に予め本内視鏡システムによって選択肢が与えられていてもよく、ユーザが自由に設定してもよい。
　【００７０】
　また、ＥｘａｍＥｎｄスイッチ５３（図３参照）の押下により内視鏡関連文字情報をクリアする際、プリンタ２５内のメモリに保存されている未印刷の内視鏡画像を強制印刷せずにクリアしてもよく、ユーザがクリアするか否かを指定してもよい。
　【００７１】
　また、キーボード８上のプリントキー４９は、キーボード８に具備する他、プロセッサ２の操作パネル９に具備してもよい。
　【００７２】
　更に、プリントキー４９は、画像の印刷キーのみに限定せず、例えば、プリンタ２５内の画像を格納するメモリを複数個設ける、あるいはメモリ内の画像格納領域を複数設けた場合の、前記メモリあるいはメモリ領域の切り替えスイッチとして用いてもよい。
　【００７３】
　以上説明したように本実施の形態では、キーボード８内のセレクトキー４７による切替により、キー３０，３１を、プロセッサ２とデジタルファイル装置２８で共通して使用できるようにしたので、双方の装置を使用する場合に１つのキーボードで作業が行えるため、作業の効率化がはかれ、かつ装置の小型化をはかれる。また、キー３２、３３は、セレクトキー４７により選択された装置でのみ使用されるように制限されているので、キーの誤入力による誤動作の防止をはかれる。
　【００７４】
　なお、本実実施の形態では、セレクトキー４７により、プロセッサ２とデジタルファイル装置２８のみがセレクトされるように制御しているが、他の外部機器であるプリンタ２５、ＶＴＲ２６、モニタ撮影装置２７を選択して制御してもよい。
　【００７５】
　また、キー３２、３３は外部機器毎に複数用意する場合の他、更なる小型化を図るため、同一キーを共通して使用してもよく、その際にはセレクトキー４７により切り替わってもよい。
　【００７６】
　また、キー３０、３１の一部が、外部機器専用の制御キーになってもよい。その際には、小型化を図るため、同一キーを共通して使用してもよく、セレクトキー４７により切り替わってもよい。
　【００７７】
　また、キー３２、３３は、セレクトキー４７に依存することなく、各外部接続機器を制御してもよい。その際には、セレクトキー４７を押すことにより機器を選択することなく、制御可能となるため、より簡易かつ瞬時に前記外部接続機器の制御を行うことができる。
　【００７８】
　なお、キーボード８を、図９に示すように、キー３３及びキー３３を制御する回路と、キー３２の機能を示した印刷部を具備したカバーケース７１と、キー３０〜３２を具備したキーボード本体７２とから構成してよい。この場合、カバーケース７１とキーボード本体７２は分離可能で、キーボード８をキーボード本体７２の上にカバーケース７１をかぶせるように接続して構成し、キーボード本体７２のケーブルをキーボード８内に格納するようにすれば、一体型にすることができる。これより、カバーケース７１をオプションとし、キーボード本体７２のみを有するユーザが、キー３３の機能を追加したい場合は、カバーケース７１とキーボード本体７２とを一体にして使用することにより、容易に機能拡張を図ることができ、作業の効率化が図れる。
　【００７９】
　図１０及び図１１は本発明の第２の実施の形態に係わり、図１０は操作パネルの構成を示す構成図、図１１は図１０の操作パネルを備えた内視鏡システムの作用を説明するフローチャートである。
　【００８０】
　第２の実施の形態は、第１の実施の形態とほとんど同じであるので、異なる点のみ説明し、同一の構成には同じ符号をつけ説明は省略する。
　【００８１】
　本実施の形態は、プロセッサ２の操作パネル９内のスイッチにより、プリンタ２５の制御を行う場合の実施の形態であって、操作パネル９のキー部分及び制御回路以外の構成は、第１実施の形態と同じである。
　【００８２】
　図１０は、プロセッサ２の操作パネル９を示す。デジタルファイルスイッチ８１、ＶＴＲスイッチ８２、プリンタスイッチ８３、スコープスイッチ８４は、モニタ２４及びプリンタ２５に出力される画像を選択するためのスイッチであって、プリントスイッチ８５はプリンタ２５にプリントを指示するスイッチである。
　【００８３】
　デジタルファイルスイッチ８１が押された時は、ＰＩＯ１３を経由してＣＰＵ６に入力され、ＣＰＵ６は、表示コントローラ１６、制御信号生成回路１８、映像信号切替回路１９を制御することにより、デジタルファイル装置２８から入力された画像をモニタ２４・プリンタ２５・ＶＴＲ２６・モニタ撮影装置２７に出力する。
　【００８４】
　ＶＴＲスイッチ８２が押された時は、ＰＩＯ１３を経由してＣＰＵ６に入力され、ＣＰＵ６は、表示コントローラ１６、制御信号生成回路１８、映像信号切替回路１９を制御することにより、ＶＴＲ２６から入力された画像をモニタ２４・プリンタ２５・モニタ撮影装置２７、デジタルファイル装置２８に出力する。
　【００８５】
　プリンタスイッチ８３が押された時は、ＰＩＯ１３を経由してＣＰＵ６に入力され、ＣＰＵ６は、表示コントローラ１６、制御信号生成回路１８、映像信号切替回路１９を制御することにより、プリンタ２５から入力された画像をモニタ２４・ＶＴＲ２６・モニタ撮影装置２７、デジタルファイル装置２８に出力する。
　【００８６】
　スコープスイッチ８４が押された時は、ＰＩＯ１３を経由してＣＰＵ６に入力され、ＣＰＵ６は、表示コントローラ１６、制御信号生成回路１８、映像信号切替回路１９を制御することにより、内視鏡１から入力された画像及び内視鏡関連情報をモニタ２４・プリンタ２５・ＶＴＲ２６・モニタ撮影装置２７、デジタルファイル装置２８に出力する。
　【００８７】
　プリントスイッチ８５は、内視鏡１内のレリーズスイッチ１ｂと同じように、スイッチを一回押下する毎にＰＩＯ１３を経由してＣＰＵ６にレリーズ信号が入力され、ＣＰＵ６からＰＩＯ１３を経由して、プリンタ２５にレリーズ信号を入力し、プリンタ２５内部のメモリに１画像分格納される。図１０において符号８６はＬＥＤを示し、プリントスイッチ８５が押された時に、一定時間点灯又は点滅してもよく、後述するようにプリンタ２５がプリント用紙を印刷している間一定時間の間点灯又は点滅してもよい。
　【００８８】
　図１１は本実施の形態のうち、プリンタ制御キー４８〜５０及び操作パネル９のキーによる、プリンタ２５の制御の詳細を示すフローチャートである。
　【００８９】
　図１１に示すように、本実施の形態では、図７で説明したキーボード２２内のプリンタ制御キー４８〜５０によるプリンタ２５の制御の詳細を示すフローチャートにおいて、ステップＳ２３とステップＳ２４との間に、本実施の形態の操作パネル９によるステップＳ４１が追加されており、その他の工程は第１の実施の形態と同じであるので、説明は省略する。
　【００９０】
　追加されたステップＳ４１では、操作パネル９にあるモニタ出力選択キーであるデジタルファイルスイッチ８１、ＶＴＲスイッチ８２、プリンタスイッチ８３、スコープスイッチ８４の押下により、プロセッサ２への入力画像、およびモニタ２４への出力画像を選択し、ステップＳ２４に処理を移行する。
　【００９１】
　このように、操作パネル９上のデジタルファイルスイッチ８１、ＶＴＲスイッチ８２、プリンタスイッチ８３、スコープスイッチ８４でモニタ出力選択の制御を行うことにより、選択された周辺装置が提供する内視鏡画像を容易に印刷することが可能となる。
　【００９２】
　なお、ステップＳ４１における操作パネル９のデジタルファイルスイッチ８１、ＶＴＲスイッチ８２、プリンタスイッチ８３、スコープスイッチ８４によるプロセッサ２の入出力制御は、一度設定した後はＲＯＭ１０、ＲＡＭ１１に格納することにより設定状態を保持しておいてもよく、電源をＯＦＦ→ＯＮにしても保持されているようにしてもよい。
　【００９３】
　また、キーボード８内のプリントキー４９は、強制的にプリント印刷を行う方法の他、操作パネル９内のプリントスイッチ８５と同じようにレリーズ信号を出力し、プリンタ２５内のメモリに格納するようにしてもよい。逆に、操作パネル９内のプリントスイッチ８５は、レリーズ信号を出力する方法の他、キーボード８内のプリントキー４９と同じように強制的にプリント印刷を行ってもよい。
　【００９４】
　図１２ないし図１４は本発明の第３の実施の形態に係わり、図１２は内視鏡システムの構成を示す構成図、図１３は図１２の内視鏡システムの作用を説明するフローチャート、図１４は図１３の処理によるモニタの表示例を示す図である。
　【００９５】
　第３の実施の形態は、第１の実施の形態とほとんど同じであるので、異なる点のみ説明し、同一の構成には同じ符号をつけ説明は省略する。
　【００９６】
　図１２に示すように、本実施の形態では、内視鏡１は、被検体を撮像し電気信号に変換するために挿入部３の先端に配置された対物レンズ４ａ及びＣＣＤ４と、プロセッサ２内のＣＣＤ駆動電源２０から供給されたＣＣＤ駆動電圧を所望の電圧に変換するレギュレータ９１と、内視鏡１の種類やＣＣＤ４の種類や累積された通電回数等の内視鏡１に関する複数のデータを記憶し保持するＥＥＰＲＯＭ又はフラッシュＲＯＭなどの書き換え可能な不揮発性メモリ９２と、通電回数の累積を行う処理、前記の複数のデータをプロセッサ２との間で送受信するシリアル通信処理、前記の複数のデータを前記不揮発性メモリ９２に書き込みあるいは読み出しを行う処理等の複数の演算処理を行い、且つ、ＲＯＭ、ＲＡＭ、ウォッチドッグタイマ（ＷＤＴ）、シリアル通信コントローラ（ＳＩＯ）、パラレル通信コントローラ（ＰＩＯ）、カウンタ（ＣＴＣ）等を内蔵したワンチップマイコンであるＣＰＵ９３と、前記シリアル通信を行うためにＣＰＵ９３の制御により送信／受信の切り替えを行うセレクタ（ＳＥＬ）９４と、ＣＰＵ９３及び不揮発性メモリ９２の誤動作を防ぐために電源電圧を監視する電源電圧検出器９５と、レリーズスイッチ１ｂ、及びコネクタ１ａ等とから構成される。
　【００９７】
　図１３は、本実施例における内視鏡システムの動作を示すフローチャートである。
　【００９８】
　ステップＳ５１でプロセッサ２の電源を投入すると、コネクタ１ａとコネクタ２ａとを接続するケーブル（図示せず）を経由して、プロセッサ２内のＣＣＤ駆動電源２０から内視鏡１内のＣＣＤ４に電源が供給されると共に、前記の供給された電圧はレギュレータ９１で所望の電圧に変換され、ステップＳ５２でＣＰＵ９３及び不揮発性メモリ９２等のＩＣに供給されることにより前記ＩＣが起動する。
　【００９９】
　そして、ステップＳ５３でプロセッサ２内のＣＰＵ６は、内視鏡種別や内視鏡のＩＤ等、接続されている内視鏡１に関する表４に示すような各種データを得るために、内視鏡１に対し内視鏡データ読み出しコマンドを内視鏡１内のＣＰＵ９３に送信する。
　【０１００】
　【表４】
ステップＳ５４で内視鏡１内のＣＰＵ９３は、前記内視鏡データ読み出しコマンドの受信を確認すると、前記内視鏡データをプロセッサ２に対して送信する。プロセッサ２は受け取った内視鏡データをＲＡＭ１１もしくはＲＯＭ１０に格納する。
　【０１０１】
　そして、ステップＳ５５でキーボード８上の「Ｓｃｏｐｅ　Ｉｎｆｏ．」キー（Ｆ８）が押下された場合、ステップＳ５６でプロセッサ２はステップＳ５４で受信した内視鏡データをモニタ２３に表示する。
　【０１０２】
　図１４は、内視鏡データが表示されたモニタ２４を示すものであり、符号１０１は内視鏡画像、符号１０２は表示された前記内視鏡データを示す。モニタ２４に表示される前記内視鏡データは、一定時間後に自動的に消去されてもよく、操作パネル９あるいはキーボード８内のキー入力により消去されてもよい。また、モニタ２４に表示される前記内視鏡データは、表４に示した複数のデータ全てを表示してもよく、その一部のみを表示してもよい。図１４は、表４で挙げた各種内視鏡データのうち、以下の４つのデータをモニタ上に表示した場合の表示例である。
　【０１０３】
・スコープ種別
・ＣＣＤ種別
・スコープＩＤ
・初検査日
　また、ステップＳ５２〜ステップＳ５５の処理の全て、あるいはその一部は、図１３に示したようにプロセッサ２の電源投入（ステップＳ５１）の後、自動的に行ってもよく、キーボード８上の「Ｓｃｏｐｅ　Ｉｎｆｏ．」キー（Ｆ８）押下（ステップＳ５６）の後に行ってもよく、キーボード８上あるいは操作パネル９上に専用キーを設け、この専用キーの押下により行ってもよい。
　【０１０４】
　ステップＳ５２の後にＲＡＭ１１もしくはＲＯＭ１０に格納された前記内視鏡データは、プロセッサ２の電源を切った後もＲＯＭ１０に格納することでそのまま保持されてもよく、保持せずともよい。
　【０１０５】
　また、プロセッサ２の電源投入時（ステップＳ５１）に、内視鏡１とプロセッサ２とが既に接続されていてもよく、プロセッサ２の電源投入後に内視鏡１を接続してもよい。前者の場合は上記の通りステップＳ５２〜ステップＳ５６の処理が行われ、後者の場合はプロセッサ２内のＣＣＤ駆動電源２０により内視鏡１に電圧が供給された後、ステップＳ５２〜ステップＳ５６の処理が行われる。後者の場合、内視鏡１とプロセッサ２とが接続された後、直ちに内視鏡１への電圧供給を行ってもよく、キーボード８上の任意のキー、あるいは操作パネル９上の任意のスイッチ等の、本内視鏡システム内の任意の入力手段を用いて内視鏡１への電圧供給操作を行ってもよい。更に後者における処理は、プロセッサ２起動中に接続中の内視鏡１を脱着する、あるいは別の内視鏡１との交換を行う場合においても、同様に適用されてもよい。
　【０１０６】
　このように本実施の形態では、内視鏡１の各種情報をプロセッサ２へ伝送し内視鏡情報をモニタ２４へ表示するという処理を、キーボード８上の専用キーの押下のみによって実現できるため、内視鏡１に関する情報を極めて容易に確認することができる。
　【０１０７】
　なお、上記の第１ないし第３の実施の形態において、キーボード８内のキー３３は、キーボード８に具備する他、プロセッサ２の操作パネル９に具備してもよい。また、キー３３内のスイッチ４７、４８、５０の機能は、システムセットアップ画面で設定してもよい。
　【０１０８】
［付記］
　（付記項１）　少なくとも、体腔内を撮像する内視鏡と、前記内視鏡からの撮像信号を信号処理するプロセッサと、前記プロセッサから出力される内視鏡画像及び内視鏡関連情報を記録及び管理するファイリング装置と、前記内視鏡関連情報を入力する入カキーおよび前記プロセッサとファイリング装置とを制御する制御キーを有するキーボードからなる、内視鏡システムにおいて、
　前記キーボード又は前記プロセッサは、
　前記キーボード内の操作キー及び制御キーの一部もしくは全てが、前記プロセッサ及び前記ファイリング装置で共通して使用されることを選択する選択スイッチ及び選択手段
　を備えたことを特徴とする内視鏡システム。
　【０１０９】
　（付記項２）　前記選択スイッチを含んだ前記制御キーの一部が、前記プロセッサ又は前記キーボードと分離可能である
　ことを特徴とする付記項１に記載の内視鏡システム。
　【０１１０】
　（付記項３）　前記キーボードは、前記内視鏡内のメモリに格納されている、前記内視鏡に関する１つあるいは複数の情報を読み出すことを目的としたスイッチを有する
　ことを特徴とする付記項１に記載の内視鏡システム。
　【０１１１】
　【発明の効果】
　以上説明したように本発明によれば、簡単かつコンパクトに、複数の信号処理機器を効率的に操作できる効果がある。
　【０１１２】
　また、請求項３に係る発明によれば、１枚の印刷用紙に印刷される内視鏡画像数の設定、或いはプリンタの印刷枚数の設定を、プリンタ側を操作することなく、システム制御手段の操作入力手段を操作することによって行うことができる。
【図面の簡単な説明】
　【図１】
本発明の第１の実施の形態に係る内視鏡システムの構成を示す構成図
　【図２】
図１のキーボードの構成を示す構成図
　【図３】
図２のプリンタを制御するキーの構成を示す構成図
　【図４】
図１の内視鏡システムの作用を説明する第１のフローチャート
　【図５】
図４の処理によりモニタに表示される表示例を示す第１の図
　【図６】
図４の処理によりモニタに表示される表示例を示す第２の図
　【図７】
図１の内視鏡システムの作用を説明する第２のフローチャート
　【図８】
図７の処理によりプリンタに印刷されたプリント例を示す図
　【図９】
図２のキーボードの変形例の構成を示す構成図
　【図１０】
本発明の第２の実施の形態に係る操作パネルの構成を示す構成図
　【図１１】
図１０の操作パネルを備えた内視鏡システムの作用を説明するフローチャート
　【図１２】
本発明の第３の実施の形態に係る内視鏡システムの構成を示す構成図
　【図１３】
図１２の内視鏡システムの作用を説明するフローチャート
　【図１４】
図１３の処理によるモニタの表示例を示す図
　【符号の説明】
　１…内視鏡
　２…プロセッサ
　４…ＣＣＤ
　５…光源装置
　６…ＣＰＵ
　７…映像信号処理回路
　８…キーボード
　９…操作パネル
　１０…ＲＯＭ
　１１…ＲＡＭ
　１２…ＳＩＯ
　１３…ＰＩＯ
　１４…ＷＤＴ
　１５…ＣＴＣ
　１６…表示コントローラ
　１７…表示メモリ
　１８…制御信号生成回路
　１９…映像信号切替回路
　２０…ＣＣＤ駆動電源
　２１…ＬＥＤ
　２２…ブザー
　２４…モニタ
　２５…プリンタ
　２６…ＶＴＲ
　２７…モニタ撮影装置
　２８…デジタルファイル装置
　２９…ファイル用モニタ
　３０〜３３…キー
　３６〜４６…ＬＥＤ
　４７…セレクトキー